(57)【特許請求の範囲】
【請求項１】
長尺状の角柱部材を備える架台ユニットが、横並びに配設され、且つ、互いに対をなす角柱部材同士が梁部材によって連結された架台であって、
上記角柱部材の両端部には、縦方向外側に開口する嵌合部がそれぞれ設けられ、当該嵌合部は、横方向に相対向する一対の第１壁部と、当該第１壁部の上縁同士を繋ぎ且つ当該第１壁部の縦方向外側の側縁よりもさらに縦方向外側に延びる第２壁部と、当該第２壁部から下方に突起する突起部と、当該第１壁部の縦方向外側の側縁の下部から縦方向外側に延びる第３壁部と、当該第３壁部の上縁における縦方向外側の端部に形成されている、上方に向かって突起する係合部と、当該第２壁部の当該第１壁部よりも縦方向外側の部分における横方向両側の側縁から下方に延びる一対の第４壁部と、を有しており、
上記梁部材は、縦方向外側から上記各嵌合部に主として上下方向に弾性変形しながら嵌め込まれる取付部を備え、当該取付部は、縦方向に延びる略水平な第１板部と、当該第１板部の縦方向内側の側縁から下方に延びる第２板部と、当該第２板部の下縁から縦方向外側に向かうほど下方に傾斜して延びる第３板部と、を有しており、
上記第１板部は、上記一対の第４壁部に対応する部分において縦方向に延びて当該一対の第４壁部が嵌め込まれる一対の長孔と、当該一対の長孔の間に設けられ、上記第２壁部の下面に対向し且つ縦方向内側の側縁が上記第２板部の上縁に繋がることで当該第２板部によって支持される対向部と、当該対向部の上記突起部に対応する部分において上下方向に貫通して当該突起部が嵌め込まれる貫通孔と、を有していて、
上記取付部は、上記第３板部が、縦方向外側から上記係合部を乗り越えることで、縦方向外側端が当該係合部に引っ掛かることによって当該係合部と上記第１壁部との間に挟まれ、さらに、上記突起部が上記貫通孔に嵌め込まれることによって、上記対向部及び上記第２壁部、上記第２板部及び上記第１壁部、上記第３板部及び上記第３壁部がそれぞれ接触するように上記各嵌合部に嵌め込まれていることを特徴とする架台。
【請求項２】
請求項１記載の架台において、
上記貫通孔の横方向両端は、上記一対の長孔の横方向内側端にそれぞれ繋がっていることを特徴とする架台。
【請求項３】
請求項１又は２記載の架台において、
上記貫通孔は、上下方向から見て縦方向内側端が縦方向外側端よりも横方向長さが短い略台形状であることを特徴とする架台。
【請求項４】
請求項１乃至３のいずれか１項記載の架台において、
上記対向部の上記貫通孔よりも縦方向内側部分には、切欠き部又は孔部が形成されていることを特徴とする架台。
【発明の詳細な説明】
【技術分野】
【０００１】
本発明は、例えば空調装置等の機器を設置するための架台に関し、特に長尺状の架台ユニットを２つ並べて梁部材で連結した構造を有する架台に関するものである。
【背景技術】
【０００２】
従来から、運搬を容易にすると共に組み立てに手間を掛けないために、横方向部材を縦方向部材に嵌め合わせることによって組み立てられる架台がある。
【０００３】
この種の架台として、特許文献１に開示された防振架台がある。図１４は、特許文献１に開示された防振架台１００を示す図であって、架台ユニット３０の上架台５０の端部と梁部材９０の端部とが結合されるコーナー部の斜視図である。図１５（ａ）は、このコーナー部の拡大平面図であり、同図（ｂ）は同図（ａ）における上架台５０の端部及び梁部材９０の端部のXVｂ−XVｂ線矢視断面図である。上架台５０の端部と梁部材９０の端部との結合は、梁部材９０の両端部に設けられた取付部１７０が、上架台５０の両端部に設けられた嵌合部３７０に、それぞれ縦方向外側から主として上下方向に弾性変形しながら嵌め込まれることによってなされる。
【０００４】
各嵌合部３７０は、縦方向外側に開口しており、横方向に相対向する一対のガイド側壁部（第１壁部）１５０ａ，１５０ａと、ガイド側壁部１５０ａ，１５０ａの上縁同士を繋ぎ且つガイド側壁部１５０ａ，１５０ａの縦方向外側の側縁よりもさらに縦方向外側に延びるガイド頂壁部（第２壁部）１５０ｂと、このガイド頂壁部１５０ｂから下方に突起する打出し部（突起部）１５０ｊと、ガイド側壁部１５０ａ，１５０ａの縦方向外側の側縁の下部から縦方向外側に延びるガイド延出部（第３壁部）１５０ｃ，１５０ｃと、これらガイド延出部１５０ｃ，１５０ｃの上縁における縦方向外側の端部に形成されている、上方に向かって突起するストッパー部（係合部）１５０ｇ，１５０ｇと、ガイド頂壁部１５０ｂのガイド側壁部１５０ａ，１５０ａよりも縦方向外側の部分における横方向両側の側縁から下方に延在する一対のガイド突出壁部（第４壁部）１５０ｄ，１５０ｄと、を有している。
【０００５】
各取付部１７０は、縦方向に延びる略水平な頂板部（第１板部）１７０ａと、この頂板部１７０ａの縦方向内側の側縁から下方に延びる縦板部（第２板部）１７０ｂと、この縦板部１７０ｂの下縁から縦方向外側に向かうほど下方に傾斜して延びる傾斜板部（第３板部）１７０ｃと、頂板部１７０ａの縦方向外側の側縁から下方に延びる梁部材本体９０ａと、を有し、さらに頂板部１７０ａは、上記一対のガイド突出壁部１５０ｄ，１５０ｄに対応する部分において縦方向に延びて縦方向内側に開口する一対の長孔１７０ｄ，１７０ｄと、この一対の長孔１７０ｄ，１７０ｄに設けられ、縦方向内側の側縁を梁部材本体９０ａに片持ち支持された舌状部１７０ｅと、この舌状部１７０ｅの上記打出し部１５０ｊに対応する部分において上下方向に貫通する貫通孔１７０ｆと、を有している。
【０００６】
そして、各取付部１７０は、傾斜板部１７０ｃが、縦方向外側からストッパー部１５０ｇ，１５０ｇを乗り越え、縦方向外側端がストッパー部１５０ｇ，１５０ｇに引っ掛かることによってストッパー部１５０ｇ，１５０ｇとガイド側壁部１５０ａ，１５０ａとの間に挟まれ、さらに、打出し部１５０ｊが貫通孔１７０ｆに嵌め込まれることによって、舌状部１７０ｅ及びガイド頂壁部１５０ｂ、縦板部１７０ｂ及びガイド側壁部１５０ａ，１５０ａ、傾斜板部１７０ｃ及びガイド延出部１５０ｃ，１５０ｃがそれぞれ接触するように各嵌合部３７０に嵌め込まれている。
【先行技術文献】
【特許文献】
【０００７】
【特許文献１】特開２０１１−９９４９５号公報
【発明の概要】
【発明が解決しようとする課題】
【０００８】
この防振架台１００を使用する際は、架台ユニット３０及び梁部材９０を機器の設置場所に運搬し、その場で組み立て、組み立てた防振架台１００に機器を設置する。従って、組み立てた防振架台１００を運搬することは稀である。しかし、組み立てた防振架台１００を運搬する可能性はゼロではない。そして、その運搬方法の一つとして、組み立てた防振架台１００のコーナー部の１つにベルト等を巻回し、そのベルト等をクレーン等で吊り上げて運搬する方法が考えられる。ところが、この運搬方法では、ベルトが巻かれたコーナー部が、防振架台１００の重みによって、図１５（ａ）に示す矢印XVc又は矢印XVd方向、即ち、防振架台１００の対角方向（以下、対角方向という）に引っ張られ、取付部１７０が嵌合部３７０から外れて防振架台１００が分解する可能性がある。この分解のメカニズムは、次のようなものである。
【０００９】
防振架台１００のコーナー部が図１５（ａ）の矢印XVc方向に引っ張られると、先ず、長方形状の防振架台１００が平行四辺形状になるように変形してコーナー部が鋭角に変形する。そして、取付部１７０が嵌合部３７０に対して相対的に縦方向外側に移動する。すると、貫通孔１７０ｆに嵌め込まれた打出し部１５０ｊが貫通孔１７０ｆの縦方向内側端面を押圧する。このとき、縦方向に延びる舌状部１７０ｅは、その縦方向外側端のみ支持されているため、縦方向内側に行くに従って下方に傾斜し、その結果、打出し部１５０ｊが貫通孔１７０ｆから外れる。そして、打出し部１５０ｊは、舌状部１７０ｅの貫通孔１７０ｆよりも縦方向内側部分を下方に押圧する。そうすると、図１５（ｂ）に示すように、梁部材９０が、ガイド頂壁部１５０ｂの下面につっかえるものを有しないため、梁部材９０全体が横方向に延びる軸回りに、即ち、図１５（ｂ）に示す矢印方向に回転し、それに伴って傾斜板部１７０ｃがストッパー部１５０ｇ，１５０ｇの縦方向内側端面をせり上がる。そうして、傾斜板部１７０ｃがストッパー部１５０ｇ，１５０ｇを乗り越えると、取付部１７０が嵌合部３７０から外れ、防振架台１００が分解する。
【００１０】
なお、防振架台１００が図１５（ａ）の矢印XVd方向に引っ張られる場合も同様に分解する。具体的には、防振架台１００がXVd方向に引っ張られると、コーナー部が鈍角に変形し、取付部１７０は、一旦、嵌合部３７０に対して相対的に縦方向内側に移動する。さらに対角方向に引っ張られると、防振架台１００の変形が進み、矢印XVc方向に引っ張られる場合と同様に、取付部１７０が嵌合部３７０に対して相対的に縦方向外側に移動する。その後の梁部材９０の挙動は矢印XVc方向に引っ張られる場合と同様であって、最終的に防振架台１００が分解する。
【００１１】
このような防振架台１００の分解は、安全上好ましくない。一方、分解を避けるために架台ユニット３０及び梁部材９０の双方の構造を変更すると、製造コストが嵩む。
【００１２】
本発明は、かかる点に鑑みてなされたものであり、その目的とするところは、架台ユニットに梁部材を嵌め込んで組み立てられる架台において、梁部材の構造のみを変更することによって、対角方向に引っ張っても分解し難い架台を提供することにある。
【課題を解決するための手段】
【００１３】
上記目的を達成するために本発明は、梁部材の構造について、突起部が嵌め込まれる貫通孔が形成された対向部を、その縦方向内側にある第２板部で支持するとともに、第２壁部の下面につっかえる部分を設ける、という変更を行うことによって、架台が対角方向に引っ張られても、突起部が貫通孔から外れ難くなるとともに梁部材全体が横方向に延びる軸回りに回転するのを規制することを特徴とする。
【００１４】
具体的には、本発明は、長尺状の角柱部材を備える架台ユニットが、横並びに配設され、且つ、互いに対をなす角柱部材同士が梁部材によって連結された架台を対象とし、次のような解決手段を講じた。
【００１５】
すなわち、第１の発明は、上記角柱部材の両端部には、縦方向外側に開口する嵌合部がそれぞれ設けられ、当該嵌合部は、横方向に相対向する一対の第１壁部と、当該第１壁部の上縁同士を繋ぎ且つ当該第１壁部の縦方向外側の側縁よりもさらに縦方向外側に延びる第２壁部と、当該第２壁部から下方に突起する突起部と、当該第１壁部の縦方向外側の側縁の下部から縦方向外側に延びる第３壁部と、当該第３壁部の上縁における縦方向外側の端部に形成されている、上方に向かって突起する係合部と、当該第２壁部の当該第１壁部よりも縦方向外側の部分における横方向両側の側縁から下方に延びる一対の第４壁部と、を有しており、上記梁部材は、縦方向外側から上記各嵌合部に主として上下方向に弾性変形しながら嵌め込まれる取付部を備え、当該取付部は、縦方向に延びる略水平な第１板部と、当該第１板部の縦方向内側の側縁から下方に延びる第２板部と、当該第２板部の下縁から縦方向外側に向かうほど下方に傾斜して延びる第３板部と、を有しており、上記第１板部は、上記一対の第４壁部に対応する部分において縦方向に延びて当該一対の第４壁部が嵌め込まれる一対の長孔と、当該一対の長孔の間に設けられ、上記第２壁部の下面に対向し且つ縦方向内側の側縁が上記第２板部の上縁に繋がることで当該第２板部によって支持される対向部と、当該対向部の上記突起部に対応する部分において上下方向に貫通して当該突起部が嵌め込まれる貫通孔と、を有していて、上記取付部は、上記第３板部が、縦方向外側から上記係合部を乗り越えることで、縦方向外側端が当該係合部に引っ掛かることによって当該係合部と上記第１壁部との間に挟まれ、さらに、上記突起部が上記貫通孔に嵌め込まれることによって、上記対向部及び上記第２壁部、上記第２板部及び上記第１壁部、上記第３板部及び上記第３壁部がそれぞれ接触するように上記各嵌合部に嵌め込まれていることを特徴とするものである。
【００１６】
第１の発明によれば、貫通孔が形成された対向部が、その縦方向内側にある第２板部によって支持されているので、架台が対角方向に引っ張られて取付部が嵌合部に対して相対的に縦方向外側に移動し、突起部が貫通孔の縦方向内側端面を押圧しても、突起部の移動先にある対向部の縦方向内側部分が、縦方向内側に行くに従って上方に傾斜し、突起部の移動を阻む。従って、突起部が貫通孔から外れ難くなる。
【００１７】
また、対向部を支持する第２板部が上下方向に延び、且つ、その上端と繋がる対向部が第２壁部の下面に接触しているので、突起部が対向部の貫通孔よりも縦方向内側部分を縦方向内側に強く押圧するほど、当該縦方向内側部分がより大きな勾配で傾斜し、第２板部が第２壁部の下面をより強く押圧する。これにより、第２板部が第２壁部の下面につっかえるので、梁部材の回転が規制される。
【００１８】
さらに、上記のように梁部材の回転が規制されるので、第２板部の、対向部と繋がる部分、及び、第３板部の各形状が保持される。従って、対角方向に引っ張り続けると、梁部材の比較的剛性の低い部分である、第２板部の上記一対の長孔に対応する部分に応力が集中して変形する。従って、梁部材の比較的剛性の低い部分に応力を集中させつつ、梁部材の、嵌合部と係合する部分（対向部、第２板部の対向部と繋がる部分、及び、第３板部）の各形状をほぼ保持することができる。
【００１９】
以上により、架台を対角方向に引っ張る際に、梁部材の一部を変形させつつも架台を分解し難くすることが可能となる。
【００２０】
第２の発明は、上記第１の発明において、上記貫通孔の横方向両端は、上記一対の長孔の横方向内側端にそれぞれ繋がっていることを特徴とするものである。
【００２１】
第２の発明によれば、対向部が、縦方向内側にある第２板部によって片持ち支持されているので、対向部の縦方向外側部分が下方に撓み易くなる。従って、梁部材を角柱部材に嵌め込む作業が容易になり、架台の組立性が向上する。
【００２２】
第３の発明は、上記第１又は第２の発明において、上記貫通孔は、上下方向から見て縦方向内側端が縦方向外側端よりも横方向長さが短い略台形状であることを特徴とするものである。
【００２３】
第３の発明によれば、貫通孔と一対の長孔との間の部分（対向部における貫通孔の横方向両側部分）は、縦方向外側に行くに従って横方向長さが短くなるので、対向部の縦方向外側部分が下方に撓みやすくなる。従って、突起部を貫通孔に嵌め込み易くなり、架台の組立性が向上する。
【００２４】
第４の発明は、上記第１乃至第３のいずれかの発明において、上記対向部の上記貫通孔よりも縦方向内側部分には、切欠き部又は孔部が形成されていることを特徴とするものである。
【００２５】
第４の発明によれば、対向部の、貫通孔よりも縦方向内側部分に切欠き部又は孔部が形成されているので、梁部材を角柱部材に嵌め込む際に、貫通孔と切欠き部又は孔部との間の部分が下方に撓み易く、突起部を貫通孔に嵌め込み易くなる。さらに、梁部材を角柱部材に嵌め込む際に、切欠き部又は孔部の縦方向内側端面を突起部に当てることによって取付部の横方向における位置決めが容易になる。従って、梁部材を角柱部材に嵌め込む作業が一層容易になり、架台の組立性が一層向上する。
【発明の効果】
【００２６】
本発明に係る架台によれば、架台が対角方向に引っ張られる際に、突起部の移動先にある対向部の縦方向内側部分が、縦方向内側に行くに従って上方に傾斜して突起部の移動を阻み、さらに、対向部の縦方向内側端に繋がる第２板部が第２壁部の下面を押圧する。従って、突起部が貫通孔から外れ難くなるとともに、第２板部が第２壁部の下面につっかえることによって、梁部材の回転が規制され、それに伴って、梁部材の、嵌合部と係合する部分の各形状が保持される。よって、架台が対角方向に引っ張られる際に、梁部材の一部に応力を集中させて変形させつつも架台が分解するのを防止することが可能となる。
【図面の簡単な説明】
【００２７】
【図１】本発明の実施形態１に係る防振架台を示す図であり、同図（ａ）は平面図であり、同図（ｂ）は正面図であり、同図（ｃ）は側面図である。
【図２】下側耐震ブラケットを示す図であり、同図（ａ）は平面図であり、同図（ｂ）は正面図であり、同図（ｃ）は側面図である。
【図３】ガイド部材及び上側耐震ブラケットの分解斜視図であり、同図（ａ）はガイド部材の斜視図であり、同図（ｂ）は上側耐震ブラケットの斜視図である。
【図４】上架台の端部と梁部材の端部とが結合されるコーナー部の斜視図である。
【図５】上架台の端部と梁部材の端部とが結合されるコーナー部の拡大側面図である。
【図６】上架台の端部と梁部材の端部とが結合されるコーナー部の拡大正面図である。
【図７】上架台の端部と梁部材の端部とが結合されるコーナー部の拡大平面図である。
【図８】図７における上架台の端部及び梁部材の端部のVIII-VIII線矢視断面図である。
【図９】ガイド部材を上側耐震ブラケットに組み付けた状態を示す斜視図である。
【図１０】実施形態１に係る梁部材を示す図であり、同図（ａ）は平面図であり、同図（ｂ）は正面図であり、同図（ｃ）は側面図である。
【図１１】梁部材の上架台への組み付け作業を説明する斜視図である。
【図１２】実施形態２に係る梁部材を示す平面図である。
【図１３】実施形態３に係る梁部材を示す平面図である。
【図１４】従来の防振架台を示す図であり、上架台の端部と梁部材の端部とが結合されるコーナー部の斜視図である。
【図１５】従来の防振架台を示す図であり、同図（ａ）は上架台の端部と梁部材の端部とが結合されるコーナー部の平面図であり、同図（ｂ）は同図（ａ）における上架台の端部及び梁部材の端部のXVb-XVb線矢視断面図である。
【発明を実施するための形態】
【００２８】
以下、本発明の実施形態を図面に基づいて詳細に説明する。
【００２９】
（実施形態１）
図１は、本発明に係る架台を所謂エアコン防振台に適用した実施形態を示し、同図（ａ）は平面図であり、同図（ｂ）は正面図であり、同図（ｃ）は側面図である。図示の如く、この防振架台（架台）１は、図示しないエアコン室外機を設置するためのものであり、上架台（角柱部材）５及び下架台７を有する長尺状の架台ユニット３（所謂レール式防振台である）を横並びに一対、並べて配設し、それらの両端に後述する梁部材９，９を架け渡して、連結している。
【００３０】
なお、以下の説明では、上架台５の延びる方向を縦方向とし、当該上架台５の配列方向を横方向とする。また、以下では、図１（ａ）において右下に位置するコーナー部について説明するが、その他のコーナー部についても、右下に位置するコーナー部とほぼ同様の構成である。
【００３１】
この防振架台１では、対をなす架台ユニット３，３は同じものであり、各々断面矩形状の角パイプ材（例えば構造用角形鋼管等）からなる長尺の上架台５及び下架台７が、互いに上下方向に所定の間隔を空けて配置され、その間には縦方向に離れて２つのアイソレータ１１，１１が介設されている。アイソレータ１１は、上架台５及び下架台７の間の振動伝達を軽減するものであり、例えばコイルばねとゴムを一体成形したものや樹脂ケース内にコイルばねを内蔵したものが用いられる。
【００３２】
本実施形態の架台ユニット３においては、上架台５よりも下架台７が長くなっており、その両端部がそれぞれ上架台５の端部よりも縦方向外側に突出している。下架台７の両端部におけるこの突出する部位の内側には、それぞれ、図２に示す、鉄板を折り曲げてなる下側耐震ブラケット２１が取り付けられている。
【００３３】
この下側耐震ブラケット２１は、略矩形状の頂壁部２１ａと、当該頂壁部２１ａの横方向両側の側縁から下方に延びる側壁部２１ｂ，２１ｂとを有していて、縦方向から見て断面略コ字状に形成されている。下側耐震ブラケット２１は、頂壁部２１ａが下架台７の上壁７ａの下面に接触するように、下架台７の両端部に嵌着されている。この頂壁部２１ａには、耐震ボルト２３が挿通される丸孔２１ｅと、下架台７を基礎に固定するアンカーボルト（図示せず）の挿通される長孔２１ｆとが形成されている。
【００３４】
さらに、下側耐震ブラケット２１は、頂壁部２１ａの縦方向外側の側縁から下方に延びる妻壁部２１ｃを有していて、横方向から見て断面略Ｌ字状に形成されている。また、妻壁部２１ｃには、横方向内側の側壁部２１ｂよりもさらに横方向内側（対をなす下架台７に向かって）に張り出す張出部２１ｄが形成されており、これにより、下架台７の安定度が増すことから、防振架台１全体が捻れるのが抑えられるようになっている。
【００３５】
一方、上架台５，５の両端部にはそれぞれ、図３（ｂ）に示す上側耐震ブラケット１９が取り付けられていて、これら上側耐震ブラケット１９及び下側耐震ブラケット２１が、以下に述べるように下架台７との間に、上架台５との相対変位を規制するための耐震ストッパ１３を構成している。
【００３６】
−耐震ストッパ−
図１（ａ）において右下に位置するコーナー部について図４〜図７に拡大して示すように、上側耐震ブラケット１９は、下架台７から上方に延びる耐震ボルト２３と協働して耐震ストッパ１３を構成する。上側耐震ブラケット１９は、鉄板を曲げ加工及び溶接してなり、縦方向外側且つ横方向外側の角が隅切りされた略矩形状の床壁部１９ａと、この床壁部１９ａの縦方向内側の側縁から上方に立ち上がる縦壁部１９ｂと、床壁部１９ａの横方向内側の側縁から上方に立ち上がる側壁部１９ｃとを備えている。これら縦壁部１９ｂ及び側壁部１９ｃは、その側縁同士が溶接されて平面視で略Ｌ字状に連繋している。
【００３７】
側壁部１９ｃには、図７に示すように、上架台５の横方向内側の側壁５ｂの内面に沿って延びる内側延出部１９ｆが形成されている。この内側延出部１９ｆには、横方向に延びる断面矩形のネジ孔１９ｈが貫通形成されており、当該ネジ孔１９ｈに挿通されるネジ２５と、これに螺合するナット２６とによって、内側延出部１９ｆは上架台５の横方向内側の側壁５ｂに締結されている。
【００３８】
縦壁部１９ｂの上縁には、角パイプである上架台５の下壁５ｄの端縁に沿って折り曲げられて、その下壁５ｄの上面に沿って縦方向内側に延びる延出部１９ｅが形成されている。この延出部１９ｅの縦方向内側の側縁には、上方に折れ曲がる妻壁部１９ｇが形成されており、当該妻壁部１９ｇ及び内側延出部１９ｆは、その側縁同士が平面視で略Ｌ字状に連繋している。
【００３９】
さらに、縦壁部１９ｂの横方向外側の側縁には、縦方向内側に折り曲げられて上架台５の横方向外側の側壁５ｃの外面に沿って延びる外側延出部１９ｄが形成されている。この外側延出部１９ｄには、横方向に延びる断面矩形のネジ孔１９ｈが形成されており、当該ネジ孔１９ｈに挿通されるネジ２５により、外側延出部１９ｄが上架台５の横方向外側の側壁５ｃに締結されている。
【００４０】
図３（ｂ）に示すように上側耐震ブラケット１９の側壁部１９ｃには、縦方向外側の側縁に凸辺１９ｊが形成されていて、後述するように梁部材９との結合に用いられる。また、上側耐震ブラケット１９の床壁部１９ａには、上下方向に貫通するボルト貫通孔１９ｉが形成されていて、当該ボルト貫通孔１９ｉに耐震ボルト２３の軸部が遊嵌状態で挿通されている。耐震ボルト２３は、その軸部が下側耐震ブラケット２１（丸孔２１ｅ）とこれに重なる下架台７の上壁７ａとを貫通して上向きに延びるように配設されていて、この軸部の付け根に螺合するナット２７，２９によって、下架台７の上壁７ａに締結されている。
【００４１】
また、図５に示すように、耐震ボルト２３の軸部において上側耐震ブラケット１９の床壁部１９ａのボルト貫通孔１９ｉに挿入されている部位には、ゴムブッシュ３１が外挿されている。このゴムブッシュ３１は、ボルト貫通孔１９ｉよりも少しだけ直径の小さな円筒部と、その上に連なる鍔部とからなり、この鍔部がボルト貫通孔１９ｉの周縁部に上方から接触している。また、その鍔部の上には平座金３３を介在させて耐震ボルト２３の軸部にナット３５が螺合されている。
【００４２】
すなわち、図４〜図７においては上側耐震ブラケット１９の床壁部１９ａ上にゴムブッシュ３１の鍔部が接触する状態を示しているが、これは防振架台１を使用しないときであり、防振架台１を使用するときにはナット３５の位置を調整して、床壁部１９ａの上面とゴムブッシュ３１の鍔部下面との間に適当な大きさ（約２〜３ｍｍ程度）の隙間を形成する。このことで、地震等による上架台５及び下架台７の上下方向の相対変位を適切に規制することができる。
【００４３】
しかも、地震等によって上架台５及び下架台７が比較的大きく相対変位したときでも、上側耐震ブラケット１９と耐震ボルト２３や平座金３３との、即ち金属製部材同士の接触が回避される。尚、上側耐震ブラケット１９の床壁部１９ａとその下方の下架台７との間隔は、上架台５に許容される傾きの上限等から例えば３０ｍｍくらいとされている。
【００４４】
なお、図４及び図７に示す符号５ｅは、上架台５を室外機の底部に固定する締結ボルト（図示せず）を挿通するために、上架台５の上壁５ａに貫通形成された丸穴を示す。
【００４５】
−梁部材の嵌合構造−
本実施形態では、前記の如き構成の上側耐震ブラケット１９に、図３（ａ）に示すガイド部材１５を取り付け、当該ガイド部材１５に、梁部材９の横方向両端部を嵌め込んで、しっかりと結合できるようにしている。
【００４６】
ガイド部材１５は、鉄板を曲げ加工したものであり、横方向に相対向する２つのガイド側壁部（第１壁部）１５ａ，１５ａと、当該ガイド側壁部１５ａ，１５ａの上縁同士を繋ぎ且つ当該ガイド側壁部１５ａ，１５ａの縦方向外側の側縁よりもさらに縦方向外側に延びるガイド頂壁部（第２壁部）１５ｂと、当該ガイド側壁部１５ａ，１５ａの縦方向外側の側縁の下部（略下半分）から縦方向外側に延びるガイド延出部（第３壁部）１５ｃ，１５ｃとを有している。
【００４７】
ガイド頂壁部１５ｂは、略矩形状に形成されており、前記した上側耐震ブラケット１９の床壁部１９ａの上方に、その上面が上架台５の上壁５ａの上面と面一なるように位置付けられている。このガイド頂壁部１５ｂには、断面が横方向に長い楕円形状の、上下方向に延びる開口部１５ｉが形成されていて、当該開口部１５ｉから耐震ボルト２３を締め付ける際に用いる固定具（図示せず）を挿入できるようになっている。また、この開口部１５ｉよりも縦方向外側には、例えばガイド頂壁部１５ｂの上面を下方に向かって打ち出すことによって形成された、下方に突起する打出し部（突起部）１５ｊが形成されている。
【００４８】
さらに、ガイド頂壁部１５ｂの縦方向外側の端部、より具体的には、当該ガイド頂壁部１５ｂの、後述する梁部材９の頂板部１７ａと重なる部分には、横方向両側の側縁で下方に折り曲げられてＲ部１５ｋを介して下方に延び、且つ、縦方向にも延びるガイド突出壁部（第４壁部）１５ｄ，１５ｄが形成されている。これらガイド突出壁部１５ｄ，１５ｄは、図６に示すように、横方向における両ガイド側壁部１５ａ，１５ａの内側に形成されている。
【００４９】
ガイド側壁部１５ａ，１５ａは、各々略矩形状に形成されており、その縦方向外側の側縁に凸辺１５ｈ，１５ｈがそれぞれ形成されている（図９参照）。また、両ガイド側壁部１５ａ，１５ａの縦方向内側の側縁には、上架台５の横方向内側の側壁５ｂの内面及び外側の側壁５ｃの外面に沿って延びる取付壁部１５ｅ，１５ｅがそれぞれ形成されている。これら取付壁部１５ｅ，１５ｅには、上側耐震ブラケット１９の内側延出部１９ｆ及び外側延出部１９ｄに形成されたネジ孔１９ｈ，１９ｈと同形同大の、横方向に延びる断面矩形のネジ孔１５ｆ，１５ｆがそれぞれ形成されている。
【００５０】
ガイド部材１５は、図７に示すように、取付壁部１５ｅ，１５ｅを、上側耐震ブラケット１９の内側延出部１９ｆと外側延出部１９ｄとの間に挟むとともに、取付壁部１５ｅ，１５ｅのネジ孔１５ｆ，１５ｆと、内側延出部１９ｆ及び外側延出部１９ｄのネジ孔１９ｈ，１９ｈとを合わせる（横方向から見て重なる）ようにして、上側耐震ブラケット１９に取り付けられている。このように、鉄板を曲げ加工してなるガイド部材１５を、鉄板を曲げ加工及び溶接してなる上側耐震ブラケット１９に取り付けることによって、ガイド部材１５及び上側耐震ブラケット１９は、剛性の高い立体構造となっているとともに、複雑な形状でありながら容易に製造できるようになっている。
【００５１】
そうして、ガイド部材１５は、取付壁部１５ｅ，１５ｅが上架台５の側壁５ｂ，５ｃと上側耐震ブラケット１９の内側及び外側延出部１９ｆ，１９ｄとに挟まれた状態で、ネジ孔１５ｆ，１９ｈに挿通される上記ネジ２５と、これに螺合するナット２６とによって、上側耐震ブラケット１９と共締めで上架台５の側壁５ｂ，５ｃに締結されている。より詳しくは、図７に示すように、ガイド部材１５の横方向内側の取付壁部１５ｅは、上架台５の横方向内側の側壁５ｂの内面と上側耐震ブラケット１９の内側延出部１９ｆの外面とに挟まれた状態で、また、ガイド部材１５の横方向外側の取付壁部１５ｅは、上架台５の横方向外側の側壁５ｃの外面と上側耐震ブラケット１９の外側延出部１９ｄの内面とに挟まれた状態で、上架台５の側壁５ｂ，５ｃに締結されている。
【００５２】
ガイド延出部１５ｃ，１５ｃの上縁は、縦方向外側に向かうほど下方に傾斜しており、これら上縁の縦方向外側の端部には、上方に向かって突起するストッパー部（係合部）１５ｇ，１５ｇがそれぞれ形成されている。また、ガイド延出部１５ｃ，１５ｃの上縁における、ストッパー部１５ｇ，１５ｇの縦方向内側には、下方に凹む凹部１５ｌ，１５ｌがそれぞれ形成されている。
【００５３】
上述の如く、各ガイド延出部１５ｃ，１５ｃは、各ガイド側壁部１５ａ，１５ａの縦方向外側の側縁の下部から縦方向外側に延びているので、ガイド側壁部１５ａとガイド延出部１５ｃとは、横方向から見て略Ｌ字状をなしている。さらに、ガイド頂壁部１５ｂは、ガイド側壁部１５ａ，１５ａの縦方向外側の側縁よりもさらに縦方向外側に延びているので、ガイド頂壁部１５ｂの下面と、ガイド側壁部１５ａの縦方向外側の側縁と、ガイド延出部１５ｃの上縁とは、図５に示すように、横方向から見て略コ字状をなしている。このようにガイド部材１５を形成することにより、ガイド頂壁部１５ｂとガイド側壁部１５ａとガイド延出部１５ｃとは、後述する梁部材９の取付部１７が嵌め込まれる、縦方向外側に開口する嵌合部３７を構成している。
【００５４】
これに対し、互いに対をなす上架台５，５を連結する梁部材９は、ＺＡＭ鋼板（登録商標）を曲げ加工したものであり、図１０に示すように、ガイド部材１５の縦方向外側に配設され、横方向に延びる梁部材本体９ａと、当該梁部材本体９ａの上縁から縦方向内側に突設され、嵌合部３７に嵌め込まれる取付部１７とを有している。
【００５５】
梁部材本体９ａは、図１０（ｂ）に示すように、Ｔ字状に形成されていて、その下縁には、剛性を高めるために斜め上方に折り曲げられた、折返し部９ｂが形成されている。また、梁部材本体９ａの下端部おける横方向両外側の下部側縁には、横方向両外側に突起する突起片９ｃ，９ｃがそれぞれ形成されている。これら突起片９ｃ，９ｃは、梁部材９が上架台５に取り付けられた状態で、上側耐震ブラケット１９の側壁部１９ｃにおける縦方向外側の側縁に当たるようになっている。なお、図６に示すように、この突起片９ｃの上端を、上側耐震ブラケット１９の側壁部１９ｃの縦方向外側の側縁に形成された凸辺１９ｊの下端に当てることで、梁部材９をガイド部材１５に嵌め込む際の、上下方向における位置決めが容易になる。
【００５６】
取付部１７は、梁部材本体９ａの上縁で折り曲げられて縦方向内側に延びる頂板部（第１板部）１７ａと、当該頂板部１７ａの縦方向内側の側縁から下方に延びる縦板部（第２板部）１７ｂと、当該縦板部１７ｂの下縁から縦方向外側に向かうほど下方に傾斜して延びる傾斜板部（第３板部）１７ｃと、を有している。なお、頂板部１７ａと梁部材本体９ａとのなす角度は、横方向から見てガイド頂壁部１５ｂと上側耐震ブラケット１９の側壁部１９ｃの縦方向外側の側縁（上架台５の縦方向外側端）とのなす角度よりも小さく設定されている。また、頂板部１７ａと傾斜板部１７ｃとのなす角度は、ガイド頂壁部１５ｂの下面とガイド延出部１５ｃの上縁とのなす角度よりも大きく設定されている。
【００５７】
このように、頂板部１７ａ、縦板部１７ｂ及び傾斜板部１７ｃは、横方向から見て略コ字状をなしているとともに、傾斜板部１７ｃが縦方向外側に向かうほど下方に傾斜しているので、主として上下方向に弾性変形し易くなっている。
【００５８】
頂板部１７ａには、図１０（ａ）に示すように、上下方向に貫通し、且つ、縦方向に延びて縦方向内側に開口する一対の長孔１７ｄ，１７ｄが形成されており、これら長孔１７ｄ，１７ｄは、取付部１７が嵌合部３７に嵌め込まれた状態で、ガイド部材１５の一対のガイド突出壁部１５ｄ，１５ｄが嵌挿される。ここで、縦方向に延びる一対のガイド突出壁部１５ｄ，１５ｄを、縦方向に延びる一対の長孔１７ｄ，１７ｄにそれぞれ嵌挿する構造となっているため、平面視で架台ユニット３と梁部材９とのなす角度が変化し難くなる。従って、防振架台１を例えば人力程度の力で引っ張っても、長方形状に組み立てられた防振架台１が平行四辺形状に変形するのを抑制することが可能となる。これら一対の長孔１７ｄ，１７ｄの縦方向内側端部は、それぞれ縦方向内側に行くに従って横方向長さが広がるように形成されており、取付部１７を嵌合部３７に嵌め込む際に、ガイド突出壁部１５ｄ，１５ｄがそれぞれ長孔１７ｄ，１７ｄに入り込み易くなっている。これら一対の長孔１７ｄ，１７ｄの間に設けられた対向部１７ｅは、取付部１７が嵌合部３７に嵌め込まれた状態で、ガイド頂壁部１５ｂの下面に対向する。この対向部１７ｅは、上下方向から見て略矩形状であって、その縦方向内側の側縁が縦板部１７ｂの上縁と繋がることで縦板部１７ｂによって支持される。
【００５９】
この対向部１７ｅの、ガイド部材１５の打出し部１５ｊに対応する位置には、上下方向に貫通する貫通孔１７ｆが形成されていて、この貫通孔１７ｆに打出し部１５ｊが嵌り込むようになっている。貫通孔１７ｆは、上下方向から見て、ハット状をなしている。具体的には、貫通孔１７ｆの縦方向内側部分は、縦方向外側に行くに従って横方向長さが大きくなる台形状をなし、縦方向外側部分は、当該台形状部分の縦方向外側端と滑らかに繋がって横方向に延びている。この縦方向外側部分の横方向両側端は、それぞれ一対の長孔１７ｄ，１７ｄの各縦方向外側端に近接している。従って、対向部１７ｅの貫通孔１７ｆと一対の長孔１７ｄ，１７ｄとの間の部分（即ち、対向部１７ｅの、貫通孔１７ｆの横方向両側部分）が、縦方向外側に行くに従って横方向長さが短くなるので、対向部１７ｅの縦方向外側部分が下方に撓みやすくなる。従って、打出し部１５ｊを貫通孔１７ｆに嵌め込み易くなり、防振架台１の組立性が向上する。
【００６０】
また、この対向部１７ｅの貫通孔１７ｆよりも縦方向内側部分、即ち、ガイド部材１５の開口部１５ｉに対応する部分には、上下方向に貫通し且つ縦方向内側に開口する切欠き部１７ｇが形成されている。そして、図８に示すように、対向部１７ｅの、この切欠き部１７ｇの横方向両側部分は、ガイド頂壁部１５ｂの下面に対向している。この切欠き部１７ｇの形状は、上下方向から見て、縦方向外側部分が、中央部が縦方向内側に突出する半円形状をなし、縦方向内側部分が、当該半円形状部分の縦方向内側端と同じ横方向長さを有する矩形をなしている。また、切欠き部１７ｇの縦方向内側端は、貫通孔１７ｆの縦方向内側端と横方向長さがほぼ等しく、且つ、貫通孔１７ｆの縦方向外側端よりも横方向長さが短い。
【００６１】
対向部１７ｅの、切欠き部１７ｇと貫通孔１７ｆとの間の部分は、上から押されると下方に撓む。この部分を撓み部１７ｈとすると、当該撓み部１７ｈは、取付部１７を嵌合部３７に嵌め込む際に、打出し部１５ｊに押されて下方に撓む。この撓み部１７ｈの撓み具合は、撓み部１７ｈの縦方向長さを伸縮することによって調整できる。従って、例えば、切欠き部１７ｇの形状を変更し、撓み部１７ｈの縦方向長さを調整することによって、防振架台１の組立性を調整することが可能となる。また、取付部１７を嵌合部３７に嵌め込む際には、この撓み部１７ｈの縦方向内側端面を、換言すると、切欠き部１７ｇの縦方向外側端面を、打出し部１５ｊに当てることによって、取付部１７の横方向における位置決めがなされる。
【００６２】
このように形成された取付部１７を、図１１に示すように、横方向内側の長孔１７ｄの横方向内側の側縁を横方向内側のガイド突出壁部１５ｄに、横方向外側の長孔１７ｄの横方向外側の側縁を横方向外側のガイド突出壁部１５ｄに、さらに、撓み部１７ｈの縦方向内側端面を打出し部１５ｊに当てながら、各嵌合部３７に縦方向外側から嵌め入れると、傾斜板部１７ｃがストッパー部１５ｇに当接することで、取付部１７は主として上下方向に弾性変形しながら嵌合部３７に入り込む。
【００６３】
そうして、梁部材９を小槌等を用いて縦方向外側から叩くことによって、傾斜板部１７ｃがストッパー部１５ｇ，１５ｇを乗り越え、且つ、撓み部１７ｈが打出し部１５ｊの下をくぐると、対向部１７ｅの上面及びガイド頂壁部１５ｂの下面、縦板部１７ｂの縦方向内側面及びガイド側壁部１５ａの縦方向外側の側縁、傾斜板部１７ｃの下面及びガイド延出部１５ｃの上縁がそれぞれ接触し、さらに、打出し部１５ｊが貫通孔１７ｆに嵌り込んだ状態で、取付部１７が嵌合部３７に嵌め込まれる。このとき、傾斜板部１７ｃは、その縦方向外側端がストッパー部１５ｇ，１５ｇに引っ掛かることによって当該ストッパー部１５ｇ，１５ｇとガイド側壁部１５ａとの間に挟まれるとともに、梁部材本体９ａの突起片９ｃ，９ｃが、上側耐震ブラケット１９の側壁部１９ｃにおける縦方向外側の側縁に当たる。
【００６４】
また、ガイド突出壁部１５ｄ，１５ｄは、一対の長孔１７ｄ，１７ｄにそれぞれ入り込み、横方向内側の長孔１７ｄの横方向内側の側縁が、横方向内側のガイド突出壁部１５ｄのＲ部１５ｋに乗り上げる一方、横方向外側の長孔１７ｄの横方向外側の側縁が、横方向外側のガイド突出壁部１５ｄのＲ部１５ｋに乗り上げる。
【００６５】
以上のようにして、取付部１７は、傾斜板部１７ｃがストッパー部１５ｇ，１５ｇとガイド側壁部１５ａ，１５ａとの間に挟まれるとともに、貫通孔１７ｆに打出し部１５ｊが嵌り込むことによって、嵌合部３７に嵌め込まれる。このような嵌め込み作業を一対の架台ユニット３，３の各両端部において実行することによって、防振架台１が組み立てられる。
【００６６】
このように組み立てられた防振架台１が図７の矢印VIIa方向に引っ張られると、防振架台１は、平行四辺形状に変形し始める。そして、架台ユニット３と梁部材９とのなす角度が上下方向から見て鋭角に変形し、取付部１７が嵌合部３７に対して相対的に縦方向外側に移動する。すると、打出し部１５ｊが貫通孔１７ｆの縦方向内側端面を押圧する。このとき、対向部１７ｅが縦方向内側にある縦板部１７ｂによって支持されているため、撓み部１７ｈを含む、対向部１７ｅの貫通孔１７ｆよりも縦方向内側部分が、縦方向内側に行くに従って上方に傾斜して打出し部１５ｊの移動を阻む。従って、打出し部１５ｊが貫通孔１７ｆから外れ難くなる。
【００６７】
また、対向部１７ｅを支持する縦板部１７ｂが上下方向に延び、且つ、縦板部１７ｂの上端がガイド頂壁部１５ｂの下面に接触しているので、打出し部１５ｊが撓み部１７ｈを縦方向内側に強く押圧するほど、対向部１７ｅの貫通孔１７ｆよりも縦方向内側部分がより大きな勾配で傾斜し、それに伴って縦板部１７ｂの上端がガイド頂壁部１５ｂの下面をより強く押圧する。これにより、縦板部１７ｂがガイド頂壁部１５ｂの下面につっかえるので、梁部材９が横方向に延びる軸回りに回転するのが規制される。
【００６８】
さらに、梁部材９の回転が規制されるので、対角方向への引っ張りが継続しても、縦板部１７ｂの、対向部１７ｅと繋がる部分、及び、傾斜板部１７ｃの各形状が保持される。従って、対角方向への引っ張りが継続すると、梁部材９の比較的剛性の低い部分である、縦板部１７ｂの長孔１７ｄ，１７ｄに対応する部分に応力が集中して変形する。
【００６９】
なお、防振架台１が図７の矢印VIIb方向に引っ張られると、防振架台１が平行四辺形状に変形して架台ユニット３と梁部材９とのなす角度が鈍角に変形し、取付部１７は、一旦嵌合部３７に対して相対的に縦方向内側に移動するが、矢印VIIb方向への引張りが継続して変形が進むと、反対方向である矢印VIIa方向に引っ張られる場合と同様に、取付部１７が嵌合部３７に対して相対的に縦方向外側に移動する。その後の梁部材９の挙動は、防振架台１が矢印VIIa方向に引っ張られる場合と同様である。
【００７０】
−引張試験−
本願発明者らは実際に、従来品と本実施形態の防振架台とについてそれぞれ引張試験を行った。引張試験は以下の手順で行った。先ず、組み立てた防振架台を用意し、任意のコーナー部及びその対角線上のコーナー部にそれぞれベルトを巻回した。次に、任意のコーナー部に巻かれたベルトに引張荷重を計測するロードセルを繋げ、このロードセルを防振架台を吊り上げるクレーンのフックに引っ掛けた。また、対角線上のコーナー部に巻かれたベルトに、数百ｋｇの鉄板からなる錘を繋げた。そして、クレーンによって防振架台を徐々に吊り上げ、防振架台が分解、又は、防振架台は分解せずに梁部材の一部が破断した時点で吊り上げ動作を停止し、その時点におけるロードセルの表示値を読み取った。
【００７１】
引張試験の結果、従来品では、防振架台が分解し、その時点のロードセルの表示値は５０キログラム重（以下、ｋｇｆと表記する）であった。一方、本実施形態の防振架台では、防振架台は分解せずに梁部材の一部が破断し、その時点のロードセルの表示値は２００ｋｇｆであった。従って、本実施形態の防振架台が従来品よりも分解し難いことが確認できた。また、本実施形態の防振架台では、防振架台の分解に先立って梁部材の一部が破断することが確認できた。
【００７２】
（実施形態２）
本実施形態は、梁部材に形成された貫通孔がその横方向両側の一対の長孔に繋がっている点で実施形態１と異なるものである。図１２は、本実施形態の梁部材を示す平面図である。以下、実施形態１と異なる点について図１２を参照して説明する。
【００７３】
図１２に示すように、貫通孔１７１ｆは、その両端が一対の長孔１７ｄ，１７ｄに繋がっている。具体的には、貫通孔１７１ｆの横方向外側端が、その横方向外側の長孔１７ｄの縦方向外側端部の横方向内側端に繋がり、また、貫通孔１７１ｆの横方向内側端が、その横方向内側の長孔１７ｄの縦方向外側端部の横方向外側端に繋がっている。換言すると、対向部１７ｅは、上下方向から見て、縦方向内側端を除く三方を一対の長孔１７ｄ，１７ｄ及び貫通孔１７ｆによって囲まれている。そして、対向部１７ｅは、その縦方向内側端を縦板部１７ｂによって片持ち支持されている。従って、対向部１７ｅは、実施形態１のように縦方向両側端を頂板部１７ａ及び縦板部１７ｂによって両持ち支持された場合と比較して下方に撓み易くなり、取付部１７を嵌合部３７に嵌め込む際に、打出し部１５ｊを貫通孔１７１ｆに嵌め込み易くなる。よって、防振架台１を分解し難くしつつ、防振架台１の組立性を向上させることが可能となる。
【００７４】
本実施形態の防振架台について引張試験を行った。試験方法は、実施形態１のものと同様とした。その結果、防振架台は分解せずに梁部材の一部が破断し、その時点のロードセルの表示値は１５０ｋｇｆであった。従って、本発明の防振架台が従来品よりも分解し難いことが確認できた。また、本発明の防振架台では、防振架台の分解に先立って梁部材の一部が破断することが確認できた。
【００７５】
（実施形態３）
本実施形態は、梁部材に形成された貫通孔の形状が実施形態１と異なるものである。図１３は、本実施形態に係る梁部材９を示す平面図である。以下、実施形態１と異なる点について図１３を参照して説明する。
【００７６】
図１３に示すように、貫通孔１７２ｆは、上下方向から見て、縦方向内側端が縦方向外側端よりも横方向長さが短い略台形状をなしている。具体的には、貫通孔１７２ｆは、縦方向内側端から縦方向外側に行くに従って横方向長さが長くなり、縦方向長さの約半分の位置から縦方向外側に行くに従って横方向長さが短くなり、且つ、縦方向内側端が縦方向外側端よりも横方向長さが短い形状をなしている。換言すると、貫通孔１７２ｆの形状は、実施形態１のハット状の貫通孔１７ｆの鍔部分を埋めた形状とほぼ同一である。つまり、貫通孔１７２ｆは、実施形態１の貫通孔１７ｆよりも面積が小さい。従って、対向部１７ｅの縦方向外側端部は、実施形態１における当該縦方向外側端部よりも撓み難い。よって、防振架台１の組立性が多少損なわれるものの、打出し部１５ｊが貫通孔１７ｆから一層外れ難くなり、防振架台１を一層分解し難くすることが可能となる。
【００７７】
本実施形態の防振架台について引張試験を行った。試験方法は、実施形態１のものと同様とした。その結果、防振架台は分解し、その時点のロードセルの表示値は３００ｋｇｆであった。従って、本実施形態の防振架台が従来品よりも分解し難いことが確認できた。
【００７８】
（その他の実施形態）
本発明は、実施形態に限定されず、その精神又は主要な特徴から逸脱することなく他の色々な形で実施することができる。
【００７９】
上記実施形態では、架台が防振架台であったが、これに限定されず、防振機能を具備しない架台でもよい。
【００８０】
また、上記実施形態では、貫通孔１７ｆ，１７１ｆ及び１７２ｆがそれぞれ上下方向から見て略台形状をなしていたが、これに限定されず、他の形状でもよい。
【００８１】
さらに、上記実施形態では、対向部１７ｅの貫通孔１７ｆ，１７１ｆ及び１７２ｆよりも縦方向内側に切欠き部１７ｇを設けたが、これに限定されず、切欠き部１７ｇの代わりに上下方向に貫通する孔部を設けてもよい。
【００８２】
また、上記実施形態では、対向部１７ｅに切欠き部１７ｇを設けたが、これに限定されず、切欠き部を設けなくてもよい。
【００８３】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８４】
以上説明したように、本発明は、設備機器を設置するための架台について有用である。
【符号の説明】
【００８５】
１                          エアコン防振台（架台）
３                          架台ユニット
５                          上架台（角柱部材）
７                          下架台
９                          梁部材
１５ａ                      ガイド側壁部（第１壁部）
１５ｂ                      ガイド頂壁部（第２壁部）
１５ｃ                      ガイド延出部（第３壁部）
１５ｄ                      ガイド突出壁部（第４壁部）
１５ｇ                      ストッパー部（係合部）
１５ｊ                      打出し部（突起部）
１７                        取付部
１７ａ                      頂板部（第１板部）
１７ｂ                      縦板部（第２板部）
１７ｃ                      傾斜板部（第３板部）
１７ｄ                      長孔
１７ｅ                      対向部
１７ｆ，１７１ｆ，１７２ｆ  貫通孔
１７ｇ                      切欠き部
３７                        嵌合部
【図１】
0005832169.tif 000002
【図２】
0005832169.tif 000003
【図３】
0005832169.tif 000004
【図４】
0005832169.tif 000005
【図５】
0005832169.tif 000006
【図６】
0005832169.tif 000007
【図７】
0005832169.tif 000008
【図８】
0005832169.tif 000009
【図９】
0005832169.tif 000010
【図１０】
0005832169.tif 000011
【図１１】
0005832169.tif 000012
【図１２】
0005832169.tif 000013
【図１３】
0005832169.tif 000014
【図１４】
0005832169.tif 000015
【図１５】
0005832169.tif 000016